(57)【要約】【課題】収納部を備えた収納部材を取付けることで指はさみを防止できるようにしたドアとする。【解決手段】ドア枠１にドア本体２をヒンジ３で開閉自在に取付け、このドア枠１の吊元縦枠１２に収納部２０ａを備えた収納部材２０を、その吊元縦枠１２の内側面１２ｂよりも面内方向内側に突出し、当該収納部材２０で前記吊元縦枠１２の内側面１２ｂとドア本体２の吊元側部分２ａとの間の隙間に手の指が入りにくくなるように取付けたドアで、収納部材２０を取付けることで指はさみを防止できると共に、小物や装飾品を置くことができるから、コスト高、組立作業の複雑化を、実用の面で十分におぎなうことができる。【選択図】図３
2008179945.tif 000002
【特許請求の範囲】
【請求項１】
ドア枠の吊元縦枠に、収納部を備えた収納部材を、その吊元縦枠の内側面よりも面内方向内側に突出し、当該収納部材によって吊元縦枠の内側面とドア本体の吊元側部分との間の隙間に手の指を入れづらくなるように取付けたことを特徴とするドア。
【請求項２】
ドア枠の面外方向開き側部分にドア本体をヒンジで面外方向に回動自在に取付け、該ドア本体の回動中心をドア本体の厚さ内で、かつ厚さ方向中心よりも面外方向開き側寄りにずれた位置とし、
前記ドア枠の吊元縦枠におけるドア本体よりも面外方向閉じ側部分に収納部材を取付けた請求項１記載のドア。
【請求項３】
取付部と張出し部で横断面ほぼ鉤形状の本体と、この本体に設けた棚とで収納部材とし、
前記取付部を吊元縦枠に取付けて前記張出し部を吊元縦枠の内側面よりも面内方向内側に向けて突出した請求項１又は２記載のドア。
【請求項４】
本体の取付部、張出し部の先端部には受片が、長手方向に連続してそれぞれ設けられ、この本体には支持凹部が長手方向に間隔を置いて複数設け、
棚は、底面板と側面板を有し、その側面板の両端部分を中央に押すことで平面方向に弾性収縮変形するものとし、
前記底面板を支持凹部に挿入して支持すると共に、側面板の両端部分を各受片に接して棚が本体に取付けられ、この棚と本体とで上面が開口した凹陥形状の収納部とした請求項３記載のドア。
【請求項５】
本体の取付部には取付用孔を形成し、吊元縦枠には支持具を取付け、
前記取付用孔を前記支持具に挿入して引掛けることで本体を吊元縦枠に取付けした請求項３又は４記載のドア。
【請求項６】
取付用孔は、大径孔と小径孔を連続して有し、
支持具は、前記小径孔よりも小径な軸部と前記大径孔よりも小径で前記小径孔よりも大径な大径頭部を有し、該支持具は吊元縦枠の取付部分に、その大径頭部が取付部分に接した押し込み状態と、大径頭部が取付部分と離隔した引き出し状態に移動可能に取付けてある請求項５記載のドア。
【発明の詳細な説明】
【技術分野】
【０００１】
本発明は、玄関ドア、勝手口ドアなどのドアに関する。
【背景技術】
【０００２】
従来、ドア枠にドア本体を開閉自在に取付けたドアが知られている。
例えば、特許文献１に開示したように、ドア枠にドア本体を開閉自在に蝶着して取付けると共に、ドア枠にプラスチック板を取付け、このプラスチック板でドア本体とドア枠の蝶着部をふさぐようにしたドアが知られている。
このドアであれば、ドア本体とドア枠の蝶着部に指などをはさむことをプラスチック板で防止できる。
【特許文献１】実開平６−８２３６５号公報
【発明の開示】
【発明が解決しようとする課題】
【０００３】
前述した従来のドアは、ドア枠にプラスチック板を取付けているので、そのプラスチック板のためにコスト高となるし、プラスチック板の取付けが必要であるからドア組立作業が複雑化する。
しかも、プラスチック板はドア本体とドア枠の蝶番部に指をはさむことを防止するだけのものである。
このようであるから、指はさみ防止のためだけにプラスチック板を取付けたドアは、コストの面、ドア組立作業の面から見た場合に好ましいドアとは言えない。
【０００４】
本発明の目的は、収納部を有する収納部材を取付けることで指はさみを防止できるようにしたドアを提供することである。
【課題を解決するための手段】
【０００５】
本発明は、ドア枠の吊元縦枠に、収納部を備えた収納部材を、その吊元縦枠の内側面よりも面内方向内側に突出し、当該収納部材によって吊元縦枠の内側面とドア本体の吊元側部分との間の隙間に手の指を入れづらくなるように取付けたことを特徴とするドアである。
【０００６】
本発明のドアにおいては、ドア枠の面外方向開き側部分にドア本体をヒンジで面外方向に回動自在に取付け、該ドア本体の回動中心をドア本体の厚さ内で、かつ厚さ方向中心よりも面外方向開き側寄りにずれた位置とし、
前記ドア枠の吊元縦枠におけるドア本体よりも面外方向閉じ側部分に収納部材を取付けることができる。
このようにすれば、ドア本体を開き位置とした時の吊元縦枠の内側面とドア本体の吊元側部分との間の隙間を小さくして、ドア本体を開いた時の有効開口を大きくできる。
【０００７】
本発明のドアにおいては、取付部と張出し部で横断面ほぼ鉤形状の本体と、この本体に設けた棚とで収納部材とし、
前記取付部を吊元縦枠に取付けて前記張出し部を吊元縦枠の内側面よりも面内方向内側に向けて突出するようにできる。
このようにすれば、本体の張出し部によって吊元縦枠の内側面とドア本体の吊元側部分との間に手の指が入れづらくなるので、指はさみを防止できる。
【０００８】
本発明のドアにおいては、本体の取付部、張出し部の先端部には受片が、長手方向に連続してそれぞれ設けられ、この本体には支持凹部が長手方向に間隔を置いて複数設け、
棚は、底面板と側面板を有し、その側面板の両端部分を中央に押すことで平面方向に弾性収縮変形するものとし、
前記底面板を支持凹部に挿入して支持すると共に、側面板の両端部分を各受片に接して棚が本体に取付けられ、この棚と本体とで上面が開口した凹陥形状の収納部とすることができる。
このようにすれば、本体に棚を簡単に取付け、取り外しできると共に、棚の取付け高さを変更することができる。
【０００９】
本発明のドアにおいては、本体の取付部には取付用孔を形成し、吊元縦枠には支持具を取付け、
前記取付用孔を前記支持具に挿入して引掛けることで本体を吊元縦枠に取付けできる。
このようにすれば、本体の取付用孔を支持具に引掛けて取付けできるので、収納部材の取付け、取り外しが簡単である。
【００１０】
本発明のドアにおいては、取付用孔は、大径孔と小径孔を連続して有し、
支持具は、前記小径孔よりも小径な軸部と前記大径孔よりも小径で前記小径孔よりも大径な大径頭部を有し、該支持具は吊元縦枠の取付部分に、その大径頭部が取付部分に接した押し込み状態と、大径頭部が取付部分と離隔した引き出し状態に移動可能に取付けることができる。
このようにすれば、吊元縦枠の取付部分と支持具の大径頭部とで取付部の小径孔周辺部分を挟持するようにして支持できるので、収納部材を吊元縦枠にしっかりと支持して取付けできる。
また、収納部材を取り外した時には支持具を押し込み状態とすることで見栄え良くできる。
【発明の効果】
【００１１】
本発明によれば、収納部を備えた収納部材を取付けることで指はさみを防止できると共に、その収納部に印鑑や鍵等の小物を収納したり、花などの装飾品を置いたりすることができる。
したがって、収納部材を取付けることによるコスト高、組立作業の複雑化を、実用の面で十分におぎなうことが可能な好ましいドアとすることができる。
【発明を実施するための最良の形態】
【００１２】
図１に示すように、ドア枠１にドア本体２をヒンジ３で開閉自在に取付けてドアとしてある。
前記ドア枠１は上枠１０と下枠１１と吊元縦枠１２と戸先縦枠１３を備えている。
前記ドア本体２は、その吊元側部分２ａがヒンジ３でドア枠１に面外方向に回動自在に取付けてあり、そのヒンジ３を中心として面外方向開き側の開き位置と面外方向閉じ側の閉じ位置とに亘って回動する。
前記ドア本体２の戸先側部分２ｂには引手４が取付けてある。
この実施の形態では、ドア本体２の吊元側部分２ａの上下が上枠１０、下枠１１の長手方向一端寄り（吊元縦枠１２寄り）にヒンジ３で回動自在に取付けてある。
【００１３】
図２と図３に示すように、ドア本体２はドア枠１の面外方向開き側部分に取付けられ、そのドア枠１を形成する上枠１０、下枠１１、吊元縦枠１２、戸先縦枠１３の面外方向中間部分には気密材１０ａ，１１ａ，１２ａ，１３ａが四周連続してそれぞれ装着され、ドア本体２と閉じると各気密材１０ａ，１１ａ，１２ａ，１３ａに接するようにしてある。
【００１４】
前記ドア１の吊元縦枠１２の面内方向の内側面１２ｂとドア本体２の吊元側部分２ａとの間の隙間は、図３に一点鎖線、二点鎖線で示す開き位置の時の隙間が大きく、図３に実線で示す閉じ位置の時の隙間が小さいので、ドア本体２が開き位置の状態で前述の隙間に手の指を入れ、そのままドア本体２を閉じると吊元縦枠１２の内側面１２ｂとドア本体２の吊元側部分２ａとの間に手の指がはさまれること（指はさみ）がある。
特に、面外方向閉じ側から前述の隙間に手の指を入れたままでドア本体２を閉じると、そのドア本体２の回動により、ドア本体２の吊元側部分２ａによって手の指が隙間に引き込まれるようになるから、前述の指はさみが生じ易い。これに対して面外方向開き側から前述の隙間に手の指を入れたままでドア本体２を閉じた場合には、そのドア本体２の回動により、ドア本体２の吊元側部分２ａによって手の指が隙間から押し出されるようになるから、前述の指はさみが生じ難い。
【００１５】
図１と図３に示すように吊元縦枠１２に収納部材２０を、その吊元縦枠１２の内側面１２ｂよりも面内方向内側に突出して取付け、この収納部材２０によって前述の吊元縦枠１２の内側面１２ｂとドア本体２の吊元側部分２ａとの間の隙間に手の指を入れづらくすることで、前述の指はさみを防止する。
この実施の形態では、吊元縦枠１２の面外方向閉じ側部分、つまりドア本体２よりも面外方向閉じ側部分に収納部材２０を取付け、面外方向閉じ側から前述の隙間に手の指を入れづらくしてある。
【００１６】
前記収納部材２０は収納部２０ａを備え、収納機能を有するので、前述の指はさみ防止だけでなく、小物、例えば印鑑や鍵を収納したり、装飾品、例えば花を置いたりすることができる。
したがって、収納部材２０を取付けることによるコスト高、組立作業の複雑化を、実用面で十分におぎなうことが可能な好ましいドアとすることができる。
【００１７】
この実施の形態では、前述のヒンジ３はピポット軸タイプのヒンジで、そのピポット３（ピポット軸）は図３に示すようにドア本体２の厚さ（面外方向の厚さ）内で、かつ厚さ中心よりも面外方向開き側寄り位置に設けてある。
これによって、ドア本体２の回動中心は、ドア本体２の厚さ内で、かつ厚さ方向中心よりも面外方向開き側寄りにずれた位置となる。
このようであるから、図３に２点鎖線で示すようにドア本体２を９０度開いた時の吊元縦枠１２の内側面１２ｂとドア本体２の吊元側部分２ａとの間の隙間を小さくすることができる。
よって、ドア本体２を開いた時の有効開口Ｈを大きくできる。
【００１８】
前記ヒンジ３はピポット軸タイプに限ることはなく、蝶番タイプなどであっても良い。
【００１９】
次に、前記収納部材２０について説明する。
図３に示すように、収納部材２０は本体２１と棚２２を備え、その本体２１は取付部２１ａと張出し部２１ｂで横断面ほぼ鉤形状の長尺形状で、その取付部２１ａを吊元縦枠１２に取付けて張出し部２１ｂを吊元縦枠１２の内側面１２ｂよりも面内方向内側に向けて突出し、その張出し部２１ｂで吊元縦枠１２の内側面１２ｂとドア本体２の吊元側部分２ａとの間に手の指を入れにくくしている。
前記棚２２は本体２１に取付けられ、この棚２２と本体２１とで前述の収納部２０ａを形成している。例えば、上面が開口した凹陥形状の収納部２０ａを形成している。
前記棚２２は図１に示すように本体２１の上下方向に間隔を置いて複数取付けてある。
【００２０】
前記収納部材２０の具体形状を図４〜図６に基づいて説明する。
本体２１の取付部２１ａの先端部と張出し部２１ｂの先端部には受片２３を長手方向に連続してそれぞれ一体的に備えている。
この本体２１には支持凹部２４を上下方向に間隔を置いて複数備えている。例えば、取付部２１ａと張出し部２１ｂのコーナー部に上下の突部２４ａ，２４ｂを一体に設け、その上下の突部２４ａ，２４ｂ間に支持凹部２４を形成している。
前記棚２２は底面板２２ａと側面板２２ｂを備え、その底面板２２ａを前記支持凹部２４に挿入して落ちないように支持すると共に、側面板２２ｂの両端部分を前記各受片２３にそれぞれ接して棚２２を本体２１に着脱自在に取付けてある。
【００２１】
前記底面板２２ａは平面形状がほぼ矩形状で、前記側面板２２ｂは平面形状が鉤形状である。
前記底面板２２ａの隣接した２つの第１端面２５に側面板２２ｂが一体的に設けられ、他の２つの第２端面２６，２６が本体２１の取付部２１ａ、張出し部２１ｂの内面に接するようにしてあると共に、その底面板２２ａには２つの第２端面２６に開口した一対の切欠溝２７が形成されている。
これによって、側面板２２ｂは、その両端部分（平面方向の両端部分）を中央に向けて押すことで底面板２２ａとともに中央に向けて弾性変形、つまり、平面方向に弾性収縮変形することができる。
【００２２】
このようであるから、底面板２２ａ、側面板２２ｂを前述のように弾性収縮変形させた状態で底面板２２ａの２つの第２端面板２６のコーナー部２８を支持凹部２４に挿入し、その側面板２２ｂを元の形状に弾性復元することで側面板２２ｂの両端部分を各受片２３に接して棚２２を本体２１に取付ける。
【００２３】
このようであるから、本体２１に棚２２を簡単に取付け、取り外しできる。
また、棚２２の底面板２２ａのコーナー部２８を異なる支持凹部２４に挿入することで、棚２２を上下方向に異なる位置に取付けできるので、収納部２０ａの高さ位置を変更することができる。
【００２４】
次に、収納部材２０の取付けについて説明する。
図５と図６に示すように、本体２１の取付部２１ａには取付用孔３０が形成されていると共に、吊元縦枠１２の内側面１２ｂにおける取付部分３１に支持具３２が取付けてある。
この支持具３２に、取付用孔３０を挿通して引掛けることで本体２１の取付部２１ａを取付部分３１に吊り下げるようにして支持することにより、本体２１を取付ける。
このようであるから、吊元縦枠１２に収納部材２０を簡単に取付け、取り外しできる。
【００２５】
前記取付用孔３０は図７、図８に示すように、大径孔３０ａと小径孔３０ｂを連続して有している。
前記支持具３２は、軸部３２ａと大径頭部３２ｂを有し、その軸部３２ａは前記取付用孔３０の小径孔３０ｂよりも小径で、前記大径頭部３２ｂは前記取付用孔３０の大径孔３０ａよりも小径で、かつ前記小径孔３０ｂよりも大径である。
このようであるから、本体２１を、その取付用孔３０の大径孔３０ａを支持具３２の大径頭部３２ｂに挿通して取付部２１ａを取付部分３１に押しつけ、その後に本体２１を下方に移動して小径孔３０ｂを軸部３２ａに嵌合することで、取付部２１ａの小径孔３０ｂ部分を大径頭部３２ｂと取付部分３１で挟持するように支持して取付ける。この反対の操作で取り外しできる。
したがって、収納部材２０を吊元縦枠１２に簡単に取付け、取り外しできる。
【００２６】
この実施の形態では、取付用孔３０は大径孔３０ａの上下に小径孔３０ｂを有している。
これによって、収納部材２０を左右勝手違いに取付けできる。つまり、図３では収納部材２０を左側の縦枠（吊元縦枠１２）に取付けてあるが、ヒンジ３を左右反対に取付けて右側の縦枠（戸先縦枠１３）に取付ける場合には、収納部材２０の本体２１を上下反転して取付けるので、小径孔３０ｂを大径孔３０ａの上下に形成した。
また、本体２１を上下反転して取付けしても棚２２を、その側面板２２ｂが上向きとして取付けできる。
【００２７】
前述の支持具３２は図８に仮想線で示すように大径頭部３２ｂが吊元縦枠１２の取付部分３１に接した押し込み状態と、実線で示す隔離した引き出し状態に移動可能に取付けてあるので、収納部材２０を取り外した状態で、支持具３２を前述のように押し込み状態とすることによって、大径頭部３２ｂのみが見えるようになるから、見栄えが良い。
【００２８】
なお、支持具３２をＬ字形状のフックとし、このフックに取付用孔３０を引掛けるだけとしても良い。
また、収納部材２０の取付けは前述のように取付用孔３０を支持具３２に引掛けることに限ることはなく、ビス止め、接着剤による接着でも良い。
また、図３に示すように吊元縦枠１２は本体１２ｃの面外方向閉じ側にカバー材１２ｄを取付けた形状としてあるので、そのカバー材１２ｄに収納部材２０を一体的に設け、そのカバー材１２ｄを取付けることで収納部材２０を取付けるようにすることもできる。
【図面の簡単な説明】
【００２９】
【図１】本発明の第１の実施の形態を示すドアの内観図である。
【図２】図１のＡ−Ａ断面図である。
【図３】図１のＢ−Ｂ断面図である。
【図４】収納部材の平面図である。
【図５】収納部材の一部破断正面図である。
【図６】収納部材の分解斜視である。
【図７】収納部材の取付部分の正面図である。
【図８】図７のＣ−Ｃ断面図である。
【符号の説明】
【００３０】
１…ドア枠、２…ドア本体、２ａ…吊元側部分、３…ヒンジ、１２…吊元縦枠、１２ｂ…内側面、２０…収納部材、２０ａ…収納部、２１…本体、２１ａ…取付部、２１ｂ…張出し部、２２…棚、２２ａ…底面板、２２ｂ…側面板、２３…受片、２４…支持凹部、３０…取付用孔、３０ａ…大径孔、３０ｂ…小径孔、３１…取付部分、３２…支持具、３２ａ…軸部、３２ｂ…大径頭部。
【図１】
2008179945.tif 000003
【図２】
2008179945.tif 000004
【図３】
2008179945.tif 000005
【図４】
2008179945.tif 000006
【図５】
2008179945.tif 000007
【図６】
2008179945.tif 000008
【図７】
2008179945.tif 000009
【図８】
2008179945.tif 000010